(57)【要約】【課題】  柱状改良体の施工ピッチを変えることができる地盤改良機を提供する。【解決手段】  軟弱地盤３２に対して複数の柱状改良体３３を同時に施工するための複数のオーガ４を互いに平行となるようにかつ横方向に互いに間隔を開けて装備した地盤改良機１であって、長手方向に沿ってオーガ４が昇降しかつ隣接するリーダ３同士を、上下方向に互いに間隔を開けて配置された少なくとも２つの連結部材５で連結すると共に、連結部材５を伸縮自在とした。【選択図】      図２
2007177527.tif 000002
【特許請求の範囲】
【請求項１】
軟弱地盤に対して複数の柱状改良体を同時に施工するための複数のオーガを互いに平行となるようにかつ横方向に互いに間隔を開けて装備した地盤改良機であって、
長手方向に沿って前記オーガが昇降しかつ隣接するリーダ同士を、上下方向に互いに間隔を開けて配置された少なくとも２つの連結部材で連結すると共に、前記連結部材を伸縮自在としたことを特徴とする地盤改良機。
【請求項２】
走行可能な地盤改良機本体にいずれかのリーダの下端を前後方向に回動自在となるように固定した請求項１記載の地盤改良機。
【請求項３】
走行可能な地盤改良機本体にいずれかのリーダの下端を左右方向に回動自在となるように固定した請求項１又は２記載の地盤改良機。
【発明の詳細な説明】
【技術分野】
【０００１】
本発明は、軟弱地盤に対して複数の柱状改良体を同時に施工するための複数のオーガを有する地盤改良機に関するものである。
【背景技術】
【０００２】
従来のこの種の技術としては、互いに平行となるようにかつ横方向に互いに間隔を開けて装備された複数のオーガにより、軟弱地盤に対して複数の柱状改良体を同時に施工できる多軸式の地盤改良機が知られている（例えば、特許文献１参照。）。
【特許文献１】実登３０４２００１号公報（請求項１、図２等）
【発明の開示】
【発明が解決しようとする課題】
【０００３】
しかしながら、上記のような従来の地盤改良機では、オーガのピッチが一定であるので、柱状改良体の施工ピッチを変えることができないという問題点がある。
【０００４】
本発明は、以上のような事情や問題点に鑑みてなされたものであり、柱状改良体の施工ピッチを変えることができる地盤改良機を提供することを目的とする。
【課題を解決するための手段】
【０００５】
上記目的を達成するための請求項１の発明は、軟弱地盤に対して複数の柱状改良体を同時に施工するための複数のオーガを互いに平行となるようにかつ横方向に互いに間隔を開けて装備した地盤改良機であって、長手方向に沿って前記オーガが昇降しかつ隣接するリーダ同士を、上下方向に互いに間隔を開けて配置された少なくとも２つの連結部材で連結すると共に、前記連結部材を伸縮自在としたものである。
【０００６】
請求項２の発明は、走行可能な地盤改良機本体にいずれかのリーダの下端を前後方向に回動自在となるように固定したものである。
【０００７】
請求項３の発明は、走行可能な地盤改良機本体にいずれかのリーダの下端を左右方向に回動自在となるように固定したものである。
【発明の効果】
【０００８】
請求項１の発明によれば、リーダのピッチ、即ちオーガのピッチが可変であるので、柱状改良体の施工ピッチを変えることができる。
【０００９】
請求項２の発明によれば、互いに連結された複数のリーダを前側又は後側へ所定角度倒すことができるので、軟弱地盤の地面が前後方向に傾斜している場合でも柱状改良体を鉛直方向に施工することができる。
【００１０】
請求項３の発明によれば、互いに連結された複数のリーダを右側又は左側へ所定角度倒すことができるので、軟弱地盤の地面が左右方向に傾斜している場合でも柱状改良体を鉛直方向に施工することができる。
【発明を実施するための最良の形態】
【００１１】
以下、本発明の実施形態を図面に基づいて説明する。
本実施形態に係る地盤改良機１は、図１及び図２に示すように、主な構成部材として、地盤改良機本体２、３つのリーダ３、３つのオーガ４、及び左右２つずつの連結部材５を備えた多軸式のものである。
【００１２】
地盤改良機本体２は、図１に示すように、基体１１、操縦部１２、走行部１３、及び２つの支持部１４を備えており、作業者が操縦部１２に乗り込んだ状態で走行可能な自走式のものである。
【００１３】
操縦部１２は、基体１１上に設けられている。走行部１３は、例えばクローラ式のものであり、基体１１の下に設けられている。支持部１４は、基体１１上の例えば前側（図１の右側）に前後方向（図１の横方向）に間隔を開けて対向するように設けられている。
【００１４】
２つの支持部１４の間には、スイング部２１の下端２１ｂが左右方向（図１の紙面に対して垂直な方向、図２の横方向）に回動自在となるように軸支されている。スイング部２１の上端２１ａには、例えば油圧シリンダで伸縮自在に構成されたバックステー２２の下端２２ｂが前後方向に回動自在となるように軸支されている。
【００１５】
リーダ３は、図１及び図２に示すように、長尺に形成されている。連結部材５は、例えば油圧シリンダで伸縮自在に構成されている。隣接するリーダ３同士は、リーダ３の例えば後側に上下方向に互いに間隔を開けて配置された２つの連結部材５で連結されている。中央のリーダ３の下端３ｂは、スイング部２１の上端２１ａの前側に前後方向に回動自在となるように軸支されている。バックステー２２の上端２２ａは、中央のリーダ３の後側に前後方向に回動自在となるように軸支されている。連結部材５により互いに連結された３つのリーダ３を、前側へ倒すにはバックステー２２を伸ばせばよく、後側へ倒すにはバックステー２２を縮めればよい。一方、３つのリーダ３を右側又は左側へ倒すには、図示しない駆動部によりスイング部２１を右側又は左側へ倒せばよい。
【００１６】
なお、リーダ３は、スイング部２１を介することなく、地盤改良機本体２の適宜の位置に前後方向及び左右方向に回動自在となるように直接固定してもよい。また、スイング部２１又は地盤改良機本体２に固定するリーダ３は、中央のリーダ３の他、右側のリーダ３や左側のリーダ３であってもよい。隣接するリーダ３同士を連結する連結部材の数も、２つずつに限定されるものではなく、３つ以上ずつであってもよい。リーダ３の数も、３つに限定されるものではなく、必要とするオーガ４の数に合わせて２つ又は４つ以上であってもよい。
【００１７】
リーダ３の前側には、リーダ３の長手方向に沿って昇降するフィーダ２３が設けられている。このフィーダ２３内には、オーガ４の頭部４ａを着脱自在に支持した状態でオーガ４を回転駆動する回転駆動部２４が設けられている。リーダ３の下端３ｂの前側には、内部に挿通されたオーガ４を摺動自在に保持する振れ止め部２５が設けられている。オーガ４をリーダ３の長手方向に沿って昇降させるには、このオーガ４の頭部４ａを回転駆動部２４を介して着脱自在に支持したフィーダ２３をリーダ３の長手方向に沿って昇降させればよい。
【００１８】
オーガ４は、長尺かつ中空に形成されている。このオーガ４内には、オーガ４の頭部４ａ等に接続された図示しない供給装置によりセメントミルク等の地盤改良材が圧送される。オーガ４内に圧送された地盤改良材は、オーガ４の先端４ｂ等の適宜の位置に設けられた図示しない排出口から図３のような掘削穴３１内へ排出され、オーガ４により掘削された軟弱地盤３２の土砂と混合・撹拌される。地盤改良材と軟弱地盤３２の土砂との混合物が固化すれば、図３のような柱状改良体３３となる。そのため、複数のオーガ４によれば、軟弱地盤３２に対して複数の柱状改良体３３が同時に施工される。
【００１９】
なお、柱状改良体３３の直径、即ちオーガ４による掘削径は、６００ｍｍ以上の寸法の他、６００ｍｍ未満、例えば１５０〜２００ｍｍであってもよい。柱状改良体３３の長さ、即ちオーガ４による掘削深さも、３０００ｍｍを超える寸法の他、３０００ｍｍ以下、例えば５００〜３０００ｍｍであってもよい。柱状改良体３３の施工ピッチ、即ちリーダ３のピッチとしてのオーガ４のピッチは、連結部材５の伸縮により数百ｍｍ以上に調節できるようにしておけばよい。
【００２０】
上記のように構成された地盤改良機１において、中央のリーダ３と右側のリーダ３とを連結した上下の連結部材５を同じ長さだけ伸ばせば、図４に示すように、右側のリーダ３が外側へ平行移動する。同様に、中央のリーダ３と左側のリーダ３とを連結した上下の連結部材５を同じ長さだけ伸ばせば、左側のリーダ３が外側へ平行移動する。これに対し、中央のリーダ３と右側のリーダ３とを連結した上下の連結部材５を同じ長さだけ縮めれば、図示しないが、右側のリーダ３が内側へ平行移動する。同様に、中央のリーダ３と左側のリーダ３とを連結した上下の連結部材５を同じ長さだけ縮めれば、左側のリーダ３が内側へ平行移動する。このように、地盤改良機１によれば、リーダ３のピッチ、即ちオーガ４のピッチが可変であるので、柱状改良体３３の施工ピッチを変えることができるという利点がある。
【００２１】
また、図１のように地盤改良機本体２に中央のリーダ３の下端３ｂを前後方向に回動自在となるように固定しておけば、図示しないが、互いに連結された３つのリーダ３を前側又は後側へ所定角度倒すことができるので、軟弱地盤３２の地面３２ａが前後方向に傾斜している場合でも柱状改良体３３を鉛直方向に施工できるという利点がある。
【００２２】
更に、図２のように地盤改良機本体２に中央のリーダ３の下端３ｂを左右方向に回動自在となるように固定しておけば、互いに連結された３つのリーダ３を図５のように右側（図５の左側）へ所定角度倒したり、図示しないが左側へ所定角度倒したりできるので、軟弱地盤３２の地面３２ａが左右方向に傾斜している場合でも柱状改良体３３を鉛直方向に施工できるという利点がある。
【産業上の利用可能性】
【００２３】
以上のように、本発明に係る地盤改良機は、柱状改良体の施工ピッチを変えるのに適している。
【図面の簡単な説明】
【００２４】
【図１】実施形態に係る地盤改良機の右側から見た概略側面図。
【図２】地盤改良機の前側から見た概略正面図。
【図３】地盤改良機により軟弱地盤に対して３つの柱状改良体を同時に施工した状態を示す概略断面図。
【図４】リーダのピッチを大きくした状態を示す概略正面図。
【図５】互いに連結された３つのリーダを地盤改良機の右側へ少し倒した状態を示す概略正面図。
【符号の説明】
【００２５】
１  地盤改良機
２  地盤改良機本体
３  リーダ
３ｂ  下端
４  オーガ
５  連結部材
３２  軟弱地盤
３３  柱状改良体
【図１】
2007177527.tif 000003
【図２】
2007177527.tif 000004
【図３】
2007177527.tif 000005
【図４】
2007177527.tif 000006
【図５】
2007177527.tif 000007